(57)【要約】【課題】簡単な構成でかつ広いスペースを要することなくトラクションシーブの回転力をメインロープに効率よく伝達させることができるエレベータの駆動方法を提供する。【解決手段】エレベータの乗りかごを吊り下げるメインロープ１５が掛け合わされる巻上機１０のトラクションシーブ１１及びそらせシーブ１２を備えるエレベータの駆動装置は、トラクションシーブ１１とそらせシーブ１２との間に無端ベルト１３を掛け渡し、この無端ベルト１３の上に重なって接触するようにトラクションシーブ１１とそらせシーブ１２との間にメインロープ１５を掛け合わせ、トラクションシーブ１１の回転力を前記無端ベルト１３を介して前記メインロープ１５に伝達させる。【選択図】      図１
2008081256.tif 000002
【特許請求の範囲】
【請求項１】
エレベータの乗りかごを吊り下げるメインロープを巻上機のトラクションシーブ及びそらせシーブに掛け合わせて駆動するエレベータの駆動方向において、
前記トラクションシーブとそらせシーブとの間に無端ベルトを掛け渡し、この無端ベルトが前記トラクションシーブとそらせシーブと接触する側の面とは反対側の面に接触するように前記トラクションシーブとそらせシーブとの間に前記メインロープを掛け合わせ、前記トラクションシーブの回転力を前記無端ベルトを介して前記メインロープに伝達させることを特徴とするエレベータの駆動方法。
【請求項２】
前記トラクションシーブとそらせシーブとの間に調整シーブを設け、前記無端ベルトを前記トラクションシーブとそらせシーブと調整シーブとに渡って掛け渡してなることを特徴とする請求項１に記載のエレベータの駆動方法。
【請求項３】
前記調整シーブは前記無端ベルトの張力を変える方向に移動調整可能に設けられていることを特徴とする請求項２に記載のエレベータの駆動方法。
【発明の詳細な説明】
【技術分野】
【０００１】
この発明は、昇降路内に吊り下げられたエレベータの乗りかごを駆動するエレベータの駆動方法に関する。
【背景技術】
【０００２】
ロープ式エレベータの全体の構成を図１１に示してある。巻上機１はトラクションシーブ２を有し、このトラクションシーブ２にメインロープ３が巻き掛けられている。メインロープ３の一端側には乗りかご４が、他端側にはつり合い重り５がそれぞれ連結され、これら乗りかご４及びつり合い重り５が互いにほぼ平衡するように昇降路６内に吊り下げられ、トラクションシーブ２の回転に応じて乗りかご４とつり合い重り５が互いに逆方向に昇降する。
【０００３】
巻上機１から所定距離だけ離れた位置にはそらせシーブ７が設けられ、トラクションシーブ２に巻き掛けられたメインロープ３の一方側がそのそらせシーブ７を経て昇降路６内に引き落とされている。これにより乗りかご４とつり合い重り５とが所定の間隔を保ちながら昇降するので昇降時における干渉が防止される。
【０００４】
巻上機１のトラクションシーブ２が回転するときには、このトラクションシーブ２とメインロープ３との接触による摩擦力でその回転力がメインロープ３に伝達され、乗りかご４及びつり合い重り５が駆動される。したがって、トラクションシーブ２とメインロープ３との間には十分な摩擦力を確保する必要がある。
【０００５】
ところが、メインロープ３はトラクションシーブ２とそらせシーブ７とに跨るように掛け渡されている。このためトラクションシーブ２と接触するメインロープ３の区間長さ、すなわち接触長さが短く、その分、摩擦力が低下し、トラクションシーブ２の回転力をメインロープ３に伝達する効率が低下する。
【０００６】
ところで、特開２００３−３２７３６８（特許文献１）や特開２００６−１０５３３９（特許文献２）には、トラクションシーブに代えて回転自在なシーブを設け、このシーブにメインロープを巻き掛け、このメインロープにベルト伝動機構のベルトを接触させてメインロープを駆動する技術が開示されている。
【０００７】
このような技術を応用して、トラクションシーブに巻き掛けられたメインロープにベルト伝動機構を接触させ、このベルト伝動機構でメインロープをトラクションシーブに圧接させてそのメインロープとトラクションシーブとの間に十分な摩擦力を発生させ、トラクションシーブの回転力をメインロープに効率よく伝達させるようにすることが考えられる。
【特許文献１】特開２００３−３２７３６８
【特許文献２】特開２００６−１０５３３９
【発明の開示】
【発明が解決しようとする課題】
【０００８】
しかしながら、ベルト伝動機構を用いてメインロープとトラクションシーブとの摩擦力を高めるようとする場合には、トラクションシーブの周辺部にベルト伝動機構を構成するための複数のプーリを設け、これらプーリ間にベルトを掛け渡してメインロープに接触させなければならない。このため構造が複雑でコストが高くなり、またトラクションシーブの周辺部にそのベルト伝動機構を配置させるための広いスペースを確保しなければならなくなる。
【０００９】
この発明は、このような点に着目してなされたもので、その目的とするところは、簡単な構成でかつ広いスペースを要することなくトラクションシーブの回転力をメインロープに効率よく伝達させることができるエレベータの駆動方法を提供することにある。
【課題を解決するための手段】
【００１０】
請求項１の発明は、エレベータの乗りかごを吊り下げるメインロープを巻上機のトラクションシーブ及びそらせシーブに掛け合わせて駆動するエレベータの駆動方向において、前記トラクションシーブとそらせシーブとの間に無端ベルトを掛け渡し、この無端ベルトが前記トラクションシーブとそらせシーブと接触する側の面とは反対側の面に接触するように前記トラクションシーブとそらせシーブとの間に前記メインロープを掛け合わせ、前記トラクションシーブの回転力を前記無端ベルトを介して前記メインロープに伝達させることを特徴としている。
【００１１】
請求項２の発明は、前記トラクションシーブとそらせシーブとの間に調整シーブを設け、前記無端ベルトを前記トラクションシーブとそらせシーブと調整シーブとに渡って掛け渡してなることを特徴としている。
【００１２】
請求項３の発明は、前記調整シーブが前記無端ベルトの張力を変える方向に移動調整可能に設けられていることを特徴としている。
【発明の効果】
【００１３】
この発明によれば、簡単な構成でかつ広いスペースを要することなくトラクションシーブの回転力をメインロープに効率よく伝達させることができる。
【発明を実施するための最良の形態】
【００１４】
以下、この発明の実施形態について図１〜図１０を参照して説明する。
【００１５】
図１及び図２には第１の実施形態を示してある。図１に示すように、巻上機１０は回転軸１０ａを有し、この回転軸１０ａにトラクションシーブ１１が取り付けられている。また、トラクションシーブ１１から所定距離だけ離れた位置にはそらせシーブ１２が支軸１２ａを介して回転自在に設けられている。そらせシーブ１２は例えば巻上機１０の周辺部の梁部材に支軸１２ａを介して支持されている。
【００１６】
本実施形態では、トラクションシーブ１１及びそらせシーブ１２の外周面は、図２に示すようにそれぞれ平滑な曲面となっており、これらトラクションシーブ１１とそらせシーブ１２との間に無端ベルト１３が掛け渡されている。
【００１７】
無端ベルト１３は、摩擦係数が大きく、かつ耐摩耗性に優れるゴムや合成樹脂材料で形成され、その内面がトラクションシーブ１１及びそらせシーブ１２の外周面に密着するように一定の張力でトラクションシーブ１１とそらせシーブ１２との間に掛け渡されている。
【００１８】
無端ベルト１３の表面には、その長手方向に沿って連続して延びる断面台形形状の溝１４が複数平行に形成されている。そして、トラクションシーブ１１とそらせシーブ１２との間に、前記無端ベルト１３の上に重なるように複数本のメインロープ１５が掛け合わされている。これらメインロープ１５は、無端ベルト１３の上面側部分における各溝１４に嵌合されている。そしてこれらメインロープ１５の一端側及び他端側が昇降路１６内に引き落とされ、その一端側で乗りかご（図示せず）が、他端側でつり合い重り（図示せず）がそれぞれ支持されている。
【００１９】
このような構成において、巻上機１０が起動してトラクションシーブ１１が回転したときに、無端ベルト１３がトラクションシーブ１１とそらせシーブ１２との間で無端走行する。そしてこの無端ベルト１３と接触したメインロープ１５がその接触の摩擦力で無端ベルト１３と一体的に走行して所定の方向に順次繰り出され、乗りかご及びつり合い重りが駆動される。
【００２０】
メインロープ１５は、トラクションシーブ１１とそらせシーブ１２との離間距離以上の長い区間に渡って無端ベルト１３と接触しており、このためトラクションシーブ１１の回転力をその無端ベルト１３を介してメインロープ１５に効率よく伝達させることができる。
【００２１】
このように本実施形態では、トラクションシーブ１１とそらせシーブ１２との間に無端ベルト１３を掛け渡し、この無端ベルト１３の上にメインロープ１５を重ね合わせて接触させ、その接触による摩擦力でトラクションシーブ１１の回転力をメインロープ１５に効率よく伝達させるようにしたものである。したがって、トラクションシーブ１１の周辺部に別個にベルト伝動機構を設け、そのベルト伝動機構でメインロープをトラクションシーブに圧接させて摩擦力を高めようとする場合と異なり、構造が簡単で安価に構成でき、またトラクションシーブ１１の周辺部に広いスペースを確保する必要もなく、既存のエレベータに対しても容易に適用することができる。
【００２２】
図３には第２の実施形態を示してある。この実施形態では、トラクションシーブ１１とそらせシーブ１２との離間距離が前記第１の実施形態の場合より小さい場合の例で、この場合には、トラクションシーブ１１とそらせシーブ１２との間に掛け渡す無端ベルト１３としてその離間距離に対応する長さのものを用いる。
【００２３】
これによりトラクションシーブ１１とそらせシーブ１２との間に所定の張力で無端ベルト１３を掛け渡すことができる。そして、この無端ベルト１３の上にメインロープ１５を重ね合わせて接触させ、その接触による摩擦力でトラクションシーブ１１の回転力をメインロープ１５に伝達させる。この場合においても、前記第１の実施形態の場合と同様の効果を得ることができる。
【００２４】
図４には第３の実施形態を示してある。この実施形態の場合もトラクションシーブ１１とそらせシーブ１２との離間距離が前記第１の実施形態の場合より小さくなっている。そしてこの第３の実施形態の場合には、トラクションシーブ１１とそらせシーブ１２との間に調整シーブ２０が設けられている。この調整シーブ２０は、例えば巻上機１の周辺部の梁部材に支軸２０ａを介して回転自在に支持されている。
【００２５】
調整シーブ２０は、トラクションシーブ１１の中心とそらせシーブ１２との中心とを結ぶ直線上からその上方側に所定の距離だけ離れる位置に配置されている。そしてトラクションシーブ１１、そらせシーブ１２、調整シーブ２０の三者に渡って無端ベルト１３が掛け渡され、この無端ベルト１３の上にメインロープ１５が重ね合わされて接触し、その接触による摩擦力でトラクションシーブ１１の回転力がメインロープ１５に伝達されるようになっている。
【００２６】
この場合においても、前記第１の実施形態の場合と同様の効果を得ることができる。そしてこの場合には、無端ベルト１３をトラクションシーブ１１、そらせシーブ１２、調整シーブ２０の三つに跨るように掛け渡してあるから、トラクションシーブ１１とそらせシーブ１２との離間距離が小さくても、無端ベルト１３として第１の実施形態の場合と同様の長さのものを共通して使用することができる。
【００２７】
また、この第３の実施形態の場合において、調整シーブ２０を上下に移動調整可能に支持することも可能である。この場合には、調整シーブ２０を上下に移動させることで無端ベルト１３の張力の大きさを調整することができる。
【００２８】
図５には第４の実施形態を示してある。この実施形態の場合もトラクションシーブ１１とそらせシーブ１２との離間距離が前記第１の実施形態の場合より小さくなっている。そしてこの第４の実施形態の場合には、トラクションシーブ１１とそらせシーブ１２との間に調整シーブ２０が設けられ、この調整シーブ２０がトラクションシーブ１１の中心とそらせシーブ１２との中心とを結ぶ直線上からその下方側に所定の距離だけ離れる位置に配置されている。そしてトラクションシーブ１１、そらせシーブ１２、調整シーブ２０の三つに渡って無端ベルト１３が掛け渡されている。この無端ベルト１３は調整シーブ２０の上側の周縁部を通るように掛け渡されている。
【００２９】
無端ベルト１３の上にはメインロープ１５が重ね合わされて接触し、この接触による摩擦力でトラクションシーブ１１の回転力がメインロープ１５に伝達されるようになっている。
【００３０】
この場合においても、前記第１の実施形態の場合と同様の効果を得ることができる。そしてこの場合にも、無端ベルト１３がトラクションシーブ１１、そらせシーブ１２、調整シーブ２０の三者に跨るように掛け渡されているから、トラクションシーブ１１とそらせシーブ１２との離間距離が小さくても、無端ベルト１３として第１の実施形態の場合と同様の長さのものを共通して使用することができる。
【００３１】
図６には第５の実施形態を示してある。この実施形態の場合もトラクションシーブ１１とそらせシーブ１２との離間距離が前記第１の実施形態の場合より小さくなっている。そしてこの第５の実施形態の場合には、トラクションシーブ１１とそらせシーブ１２との間に調整シーブ２０が設けられ、この調整シーブ２０がトラクションシーブ１１の中心とそらせシーブ１２との中心とを結ぶ直線上からその下方側に所定の距離だけ離れる位置に配置されている。そしてトラクションシーブ１１、そらせシーブ１２、調整シーブ２０の三者に渡って無端ベルト１３が掛け渡されている。この無端ベルト１３は調整シーブ２０の下側の周縁部を通るように掛け渡されている。
【００３２】
そして、無端ベルト１３の上にメインロープ１５が重ね合わされて接触し、この接触による摩擦力でトラクションシーブ１１の回転力がメインロープ１５に伝達されるようになっている。
【００３３】
この場合においても、前記第１の実施形態の場合と同様の効果を得ることができる。そしてこの場合にも、無端ベルト１３がトラクションシーブ１１、そらせシーブ１２、調整シーブ２０の三つに跨るように掛け渡されているから、トラクションシーブ１１とそらせシーブ１２との離間距離が小さくても、無端ベルト１３として第１の実施形態の場合と同様の長さのものを共通して使用することができる。
【００３４】
前記各実施形態では、巻上機１０のトラクションシーブ１１とそらせシーブ１２との間に調整シーブ２０を配置させたが、図７〜図９に第６〜第８の実施形態として示すように、そらせシーブ１２と調整シーブ２０との間に巻上機１０のトラクションシーブ１１を配置させるように構成することも可能である。
【００３５】
すなわち、図７に示す第６の実施形態の場合には、巻上機１０のトラクションシーブ１１がそらせシーブ１２と調整シーブ２０との間で、かつそのそらせシーブ１２の中心と調整シーブ２０の中心とを結ぶ直線上より下方側の位置に配置され、無端ベルト１３がそのトラクションシーブ１１の上縁部を通るようにそらせシーブ１２、調整シーブ２０、トラクションシーブ１１の三つに掛け渡されている。この無端ベルト１３の上にメインロープ１５が重ね合わされて接触し、この接触による摩擦力でトラクションシーブ１１の回転力がメインロープ１５に伝達されるようになっている。
【００３６】
図８に示す第７の実施形態の場合には、トラクションシーブ１１がそらせシーブ１２と調整シーブ２０との間で、かつそのそらせシーブ１２の中心と調整シーブ２０の中心とを結ぶ直線上より上方側の位置に配置され、無端ベルト１３がそのトラクションシーブ１１の上縁部を通るようにそらせシーブ１２、調整シーブ２０、トラクションシーブ１１の三つに掛け渡されている。この無端ベルト１３の上にメインロープ１５が重ね合わされて接触し、この接触による摩擦力でトラクションシーブ１１の回転力がメインロープ１５に伝達されるようになっている。
【００３７】
図９に示す第８の実施形態の場合には、トラクションシーブ１１がそらせシーブ１２と調整シーブ２０との間で、かつそのそらせシーブ１２の中心と調整シーブ２０の中心とを結ぶ直線上より下方側の位置に配置され、無端ベルト１３がそのトラクションシーブ１１の下縁部を通るようにそらせシーブ１２、調整シーブ２０、トラクションシーブ１１の三つに掛け渡されている。この無端ベルト１３の上にメインロープ１５が重ね合わされて接触し、この接触による摩擦力でトラクションシーブ１１の回転力がメインロープ１５に伝達されるようになっている。
【００３８】
このような実施形態においても、前記第１の実施形態の場合と同様の効果を得ることができる。そして、無端ベルト１３がトラクションシーブ１１、そらせシーブ１２、調整シーブ２０の三者に跨るように掛け渡されているから、トラクションシーブ１１とそらせシーブ１２との離間距離が小さくても、無端ベルト１３として第１の実施形態の場合と同様の長さのものを共通して使用することができる。
【００３９】
ところで、以上の説明では、トラクションシーブ１１、そらせシーブ１２、調整シーブ２０の外周面をそれぞれ平滑な曲面としてあるが、図１０に示すように、トラクションシーブ１１、そらせシーブ１２、調整シーブ２０の外周面に周方向に沿って連続する例えば断面逆台形状の溝２５を形成し、また無端ベルト１３の内周面にその周方向に沿って連続する断面台形状の突起２６を一体的に形成し、これら突起２６を前記溝２５に嵌合させるようにしてもよい。
【００４０】
この場合には、トラクションシーブ１１、そらせシーブ１２、調整シーブ２０の外周面と、無端ベルト１３の内周面とをより強固に密着させてその相互間の摩擦力をより高めることができる。
【図面の簡単な説明】
【００４１】
【図１】この発明の第１の実施形態に係る駆動装置の正面図。
【図２】その駆動装置の要部の断面図。
【図３】この発明の第２の実施形態に係る駆動装置の正面図。
【図４】この発明の第３の実施形態に係る駆動装置の正面図。
【図５】この発明の第４の実施形態に係る駆動装置の正面図。
【図６】この発明の第５の実施形態に係る駆動装置の正面図。
【図７】この発明の第６の実施形態に係る駆動装置の正面図。
【図８】この発明の第７の実施形態に係る駆動装置の正面図。
【図９】この発明の第８の実施形態に係る駆動装置の正面図。
【図１０】駆動装置のトラクションシーブ、そらせシーブ、調整シーブの外周面に溝を形成する場合の例を示す断面図。
【図１１】従来の駆動装置で駆動されるエレベータの全体の構成を示す構成図。
【符号の説明】
【００４２】
１０…巻上機
１０ａ…回転軸
１１…トラクションシーブ
１２…そらせシーブ
１３…無端ベルト
１５…メインロープ
１６…昇降路
２０…調整シーブ
【図１】
2008081256.tif 000003
【図２】
2008081256.tif 000004
【図３】
2008081256.tif 000005
【図４】
2008081256.tif 000006
【図５】
2008081256.tif 000007
【図６】
2008081256.tif 000008
【図７】
2008081256.tif 000009
【図８】
2008081256.tif 000010
【図９】
2008081256.tif 000011
【図１０】
2008081256.tif 000012
【図１１】
2008081256.tif 000013